(57)【特許請求の範囲】
【請求項１】
遊技盤を保持する遊技本体と、前記遊技本体を内部で保持する外枠と、前記外枠の一部を構成しており前記遊技本体と前記外枠との前面下部の隙間を隠す幕板と、を備え、遊技場に設置した島設備の島枠内部に前記外枠が上部を所定位置に固定した状態で前記遊技盤が傾斜するように下部を前後にずらして取り付けられる遊技機において、
前記外枠の下部に取り付けられる外枠取付け部材と、前記島枠の内部に取り付けられる島枠取付け部材と、前面から操作可能に設けられ操作することで前記外枠取付け部材を前記島枠取付け部材に対して前後方向に移動させる調整用操作部と、を有する傾き調整機構と、
前記幕板に移動自在に設けられ、閉位置のときには前記調整用操作部を前面から遮蔽し、開位置のときに前記調整用操作部の前面から退避して前記調整用操作部を前方に露呈させる遮蔽部材と、
を備えたことを特徴とする遊技機。
【請求項２】
前記外枠は前記遊技本体を内部で開閉自在に支持しており、
前記遮蔽部材には、前記遊技本体を前記外枠に対して閉じたときに前記遊技本体の一部に当接して遮蔽部材の開位置への移動を阻止する銜え込み部が設けられていることを特徴とする請求項１記載の遊技機。
【請求項３】
前記外枠の下部には、前記島枠取付け部材を逃がすための切り欠き部が設けられていることを特徴とする請求項１又は２記載の遊技機。
【発明の詳細な説明】
【技術分野】
【０００１】
遊技盤を備えた遊技機に関し、さらに詳しくは、遊技盤の面が所定角度に傾斜した姿勢で島設備に取り付けられる遊技機に関するものである。
【背景技術】
【０００２】
パチンコ機が設置される遊技場には、島設備が設けられている。島設備には、複数のパチンコ機を横並びに設置するための縦長矩形の島枠が複数併設されている。パチンコ機は、遊技盤や制御基板を備えたパチンコ機本体が、縦長矩形の外枠の内側に開閉自在に取り付けられている。一般的に、外枠は４辺を構成する木材の板で形成されている。そして、外枠の上・下部を内側から島設備に設けた島枠に釘で固定することによってパチンコ機が島設備に取り付けられていく。
【０００３】
パチンコ機は、遊技球の落下の方向に変化を与えるための遊技釘が遊技盤の面に固定されており、前記面の傾斜を垂直に近づけるほどパチンコ球の流れが早くなり、パチンコ機本体の前面に設けたガラスに玉がガチャガチャと当たる音が目立つ傾向になるため、一般的に遊技盤の面を垂直面に対して僅かに寝かせる方向に向けて傾斜して取り付けられる。この傾斜角度は、球の入賞状況等に大きな影響を及ぼすため、パチンコ機の取り付けは、前面ガラスに水準器やゲージを当てて傾斜を測定しながら高精度に行われる。
【０００４】
このように、遊技盤の面の角度測定は、外枠に対してパチンコ機本体を閉じた状態で前面のガラスに水準器やゲージを当てるか、又は、パチンコ機本体を開放もしくは取り外した状態で外枠の平面部に当てて測っている。前者の場合には、パチンコ機本体を開いて、外枠の内部を前面に露呈させないと角度調節及び固定が行えない。このため、パチンコ機の取り付け及び角度調整は、一々パチンコ機本体を開閉する作業が伴い、困難極まる作業になっていた。後者の場合には、外枠の位置を出しても実際の盤面の角度に誤差が発生するため角度調節を精度良く行えない欠点がある。
【０００５】
パチンコ機を島枠に簡単にかつ精度良く取り付けるための治具が知られている（特許文献１）。この治具は、外枠の上部を一定位置に取り付けた後に、島枠の下部に前方に張り出したテーブルに載置され、一端をテーブルの端に押し当て、他端に外枠の下部前面を押し当てる。この状態を保ったまま外枠の下部を島枠の下部に取り付ける。この発明によれば、どのパチンコ機も複数の島枠に対して一定の角度で取り付けることができ、しかも、パチンコ機本体を外枠に対して閉じた状態のまま角度調節が行えるので簡便である。
【特許文献１】特開２００５−３２９２２５号公報
【発明の開示】
【発明が解決しようとする課題】
【０００６】
しかしながら、特許文献１に記載の発明では、治具を必要とするとともに、治具を載置するためにテーブルも島枠に取り付けているので、コストがかさむ。また、テーブルは前面に出っ張っているので邪魔になるおそれがある。さらに、外枠を島枠に固定するときには、パチンコ機を外枠に対して開く作業が必要になり、作業が面倒であった。
【０００７】
本発明は、上記課題を解決するためになされたもので、治具やテーブルなどを必要せずローコストで、また、固定するときには一々パチンコ機を外枠に対して開く作業を必要せず簡便に行える遊技機を提供することを目的とする。
【課題を解決するための手段】
【０００８】
本発明の遊技機では、島枠の内側と外枠の下部とを固定するとともに前側に設けた調整用操作部を操作することで島枠の内側に対して外枠の下部を前後に移動させる傾き調整機構と、幕板に開閉自在に設けられ調整用操作部を遮蔽する遮蔽部材と、を設けたので、幕板に設けた遮蔽部材を開ければ調整用操作部が前面に露呈するため、外枠取付け部材を島枠取付け部材に対して前・後方向に簡単に移動させることができる。
【０００９】
遊技本体は、外枠の内部に開閉自在に支持されており、遊技時には外枠に対して閉じた状態になっている。遮蔽部材が遊技時に開閉自在であると、外枠の角度調整が遊技者によって行われてしまう。そこで、遮蔽部材に銜え込み部を設け、遊技本体を外枠に対して閉じているときには、銜え込み部を遊技本体の一部に当接して遮蔽部材の開位置への移動を阻止するように構成するのが望ましい。
【００１０】
また、外枠の下部に、島枠取付け部材を逃がすための切り欠き部を設けると、島枠取付け部材が外枠からはみ出ないので省スペース化を図ることができる。
【発明の効果】
【００１１】
本発明では、遮蔽部材を幕板に移動自在に設け、遮蔽部材を開くことで、傾き調整機構の調整用操作部を前方に露呈し、前側から調整用操作部を操作するだけで遊技盤の面の角度調整が行えるから、治具やそれを載置する部材などを必要とせず、よって、ローコストで達成することができる。しかも、調整操作を完了した状態で固定状態になるので、調節及び固定作業が簡便になる。
【発明を実施するための最良の形態】
【００１２】
図１及び図２に示すように、パチンコ機（遊技機）１０は、遊技本体１１と外枠１２とで構成されている。遊技本体１１には、前面にガラス板１３が略垂直方向に沿って取り付けられ、ガラス板１３の奥にガラス板１３と略平行に遊技盤１４が支持されている。なお、このガラス板１３は、遊技本体１１に対して開閉自在になっている。遊技盤１４の前面には、遊技領域が設けられており、遊技領域には液晶パネル、入賞口、アウト口などが設けられている。遊技本体の前面下部には、ハンドル１５が設けられており、ハンドル１５を操作することで、発射装置が作動してパチンコ球が遊技領域に発射され、パチンコ球が入賞口又はアウト口の何れかに入る。アウト口はアウト球に、セーフ球はセーフ球にそれぞれ区分される。アウト球は遊技本体１１の内部に回収され、また、セーフ球はカウントされ、カウントに応じて賞球を遊技本体１１の前面に設けた受け皿２１に払い出す。なお、遊技本体１１の背面には、制御基板を収納した基板ケース等が取り付けられている。この制御基板には、前述した機構や遊技に係る処理を実行する回路が実装されている。
【００１３】
外枠１２は、縦長矩形となっており、上下左右の４つの板を組み合わせて作られている。また、外枠１２には、左板（図示なし）と右板１６との間に架け渡された補強板１７が前面下方に取り付けられており、さらに、この補強板１７の前面には幕板１８が取り付けられている。この幕板１８は、遊技本体１１と外枠１２との前面下部の隙間を塞ぐとともに化粧板の作用をなしている。
【００１４】
外枠１２を構成する上板１９及び補強板１７とには、上下左端に一対のヒンジ２０が取り付けられている。ヒンジ２０は、可動部が遊技本体１１の左端の上下にそれぞれ取り付けられ、外枠１２に対して遊技本体１１を横開きに回転自在に支持している。これにより、遊技本体１１は、閉じ位置のときに、遊技本体１１の右端背面が外枠１２の右板１６に接し、遊技本体１１の背面の造物が外枠１２の内部に入り込む。開き位置のときには、遊技本体１１の右端背面が外枠１２の右板１６から離れて外枠１２の内部が露呈される。そして、通常は、図示していない錠式のロック機構により閉じ位置にロックされている。このロック機構は、遊技本体１１の前面に設けた鍵穴２２に鍵２３を挿入して回転操作することでロック又はロック解除がなされる。なお、左端の下に設けられるヒンジ２０の可動部を幕板１８に取り付けても良い。
【００１５】
幕板１８には、左右の二箇所に切り欠き又は開口２４が設けられている。これら切り欠き又は開口２４は、後述する調整用操作部を前面に露呈するためのものであり、通常は遮蔽部材２６で各々隠されている。各遮蔽部材２６は、縦長矩形で厚み薄い板形状になっており、下方に設けたヒンジ２７を中心として縦開きに開閉される。遮蔽部材２６の上端には、銜え込み部２８が設けられている。銜え込み部２８は、遮蔽部材２６の上端から後方及び上方に向けてＬ字状に折れ曲がって設けられており、外枠１２に対して遊技本体１１を閉じ位置にしたときに、遊技本体１１の下部１１ａと補強板１７との間に加え込まれる。これにより、遊技本体１１の下部１１ａが銜え込み部２８の移動路を塞ぐため、遮蔽部材２６の開き位置への移動が阻止される。銜え込み部２８は、開き位置のときに遊技本体１１の下部１１ａの移動路から退避するため、遊技本体１１の開閉を許容する。なお、遮蔽部材２６の形状としは、縦長矩形の板形状に限らず、円形の板形状などでもよい。また、銜え込み部２８の形状もL字状の片形状に限らず、遊技本体１１の下部１１ａの一部に当接する形状であればいずれの形状でもよい。
【００１６】
外枠１２は、図３に示すように、遊技場の島設備に設けた島枠３０に固定される。島枠３０も縦長矩形枠になっており、外枠１２は島枠３０の内側に嵌め込まれて固定される。この固定は、外枠１２の上板１９が島枠３０の上板３１に釘やボルト等の固定手段で固定される。この固定箇所は予め左右二カ所の所定位置に決められている。なお、上側の固定箇所としては、左右二カ所に限らず、左右方向にずらして三カ所以上の位置を固定してもよい。その後、外枠１２の補強板１７と、島枠３０の下板３２とが２つの傾き調整機構３５により固定される。
【００１７】
傾き調整機構３５は、図４及び図５に示すように、外枠取付け部材３６、島枠取付け部材３７、支柱４０、螺子穴４１、及び、螺子４２で構成されている。外枠取付け部材３６は、矩形の板形状になっており、平面を補強板１７の背面に密着した姿勢でビスやボルト等の固定手段により取り付けられる。なお、外枠取付け部材３６の取り付け位置としては、外枠１２の下部内側であれば補強板１７に限ることはない。また、島枠取付け部材３７は、矩形の板形状になっており、平面を島枠３０の下板３２に密着した姿勢で固定手段により取り付けられる。なお、島枠取付け部材３７の取り付け位置としては、島枠３０の内側であれば何処でも良い。
【００１８】
この島枠取付け部材３７には、支柱４０が立設されており、この支柱４０には、螺子穴４１が略水平方向に沿って設けられている。螺子穴４１には、前方から螺子４２が螺合している。螺子４２は、螺子頭部４３とネジ部４４とで構成されている。螺子頭部４３には、先端に＋又は−溝４５が形成されており、また、後端に溝４６が形成されている。この溝４６は、全周に形成去れており、溝４６の隙間は、外枠取付け部材３６の厚みよりも僅かに長い長さになっている。この溝４６には、外枠取付け部材３６が僅かな遊びをもって取り付けられている。螺子頭部４３の先端は、補強板１７に設けた穴４７からパチンコ機１０の前方に向けて露呈している。これら穴４７は、遮蔽部材２６が閉じ位置のときに隠される。なお、外枠取付け部材３６や島枠取付け部材３７の形状としては、平板形状に限らず、周知の形状であればいずれの形状でもよい。
【００１９】
＋又は−のドライバーで螺子頭部４３を回転操作することで、螺子穴４１に対してネジ部４４が前後方向に移動するので、外枠取付け部材３６も島枠取付け部材３７に対して前後方向に移動する。この螺子頭部４３が本発明の調整用操作部を構成する。なお、外枠１２の下板５０には、左右に切り欠き部５１が形成されており、島枠取付け部材３７は、それら切り欠き部５１を通して島枠３０の下板３２に固定されている。
【００２０】
パチンコ機１０を島設備に取り付けるときには、外枠１２を島枠３０の内部に挿入し、その後に外枠１２に対して遊技本体１１を開いて外枠１２の内部を露呈する。そして、外枠１２の内側から釘やボルトで外枠１２の上板３１を島枠３０の上板３１に固定する。上側を固定した後には、下側を固定する。このとき、一対の傾き調整機構３５を切り欠き部５１にそれぞれ挿入し、島枠取付け部材３７を島枠３０の下板３２にボルトや釘で固定するとともに、外枠取付け部材３６を外枠１２の補強板１７の背面にボルトや釘で固定する。そして、一対の遮蔽部材２６を開き位置に開いた状態にしてから遊技本体１１を閉じ位置に移動する。これにより、遮蔽部材２６を開いているので、遊技本体１１を閉じても、補強板１７の穴４７を通して螺子頭部４３が露呈する。
【００２１】
パチンコ機１０の前側から螺子頭部４３を＋又は−のドライバーで回転操作すると、図５に示すように、螺子４２が螺子穴４１に対して前又は後に移動し、これに追従して外枠取付け部材３６が島枠取付け部材３７に対して前又は後方向に移動する。これにより、外枠１２の下板５０が上板１９に対して前又は後方向に移動して、遊技盤１４の面の傾斜を調節することができる。
【００２２】
傾き調整機構３５は、左右に一対設けられているので、他方も前述したと同様に調節する。このとき、遊技本体１１を外枠１２に対して閉じているので、ガラス板１３又は遊技盤１４の前面に水準器やゲージを当てて傾斜角度を測りながら左右にある螺子頭部４３をそれぞれ回転操作して遊技盤１４の傾き調節が行える。よって、一々遊技本体１１の開閉作業を伴うことなく傾き調整を行える。この傾き調整機構３５は、左右に一対あり、しかも、遊技本体１１及び外枠１２の荷重が各螺子４２に掛かっているので、調節後の遊技盤１４の傾斜角度を長期に渡って維持することができる。なお、遊技盤１４の前面に水準器やゲージを当てる場合には、ガラス板１３を開放した状態にする。
【００２３】
調節作業が終了した後には、遊技本体１１を外枠１に対して開いてから、遮蔽部材２６を閉じて、再び遊技本体１１を閉じる。これにより、遮蔽部材２６の銜え込み部２８が遊技本体１１の下部１１ａに当接して遮蔽部材２６の開き位置への移動が阻止される。
【００２４】
なお、上記実施形態では、遮蔽部材２６を開閉するようにしているが、横又は縦方向にスライド移動するように構成してもよい。また、傾き調整機構３５の数としては２個に限らず、１個又は３個以上でもよい。この場合は、遮蔽部材２６の数も傾き調整機構３５と同じ数だけ設ければよい。
【産業上の利用可能性】
【００２５】
上記実施形態では、パチンコ機等の弾球遊技機を例に挙げて説明しているが、落下する又は斜面上を転がる小遊技体を用いる遊技機であれば、パチンコ機以外の遊技機にも本発明を適用することができる。
【図面の簡単な説明】
【００２６】
【図１】パチンコ機を示す斜視図である。
【図２】遊技本体を外枠に対して開いた状態のパチンコ機を示す斜視図である。
【図３】外枠を背面側から見た斜視図である。
【図４】外枠の下部を示す断面図であり、遮蔽部材を閉じている状態を示している。
【図５】外枠の下部を示す断面図であり、遮蔽部材を開いている状態を示している。
【符号の説明】
【００２７】
１０  パチンコ機（遊技機）
１１  遊技本体
１２  外枠
１４  遊技盤
２６  遮蔽部材
２８  銜え込み部
３５  傾き調整機構
３６  外枠取付け部材
３７  島枠取付け部材
４２  螺子
【図１】
0004604001.tif 000002
【図２】
0004604001.tif 000003
【図３】
0004604001.tif 000004
【図４】
0004604001.tif 000005
【図５】
0004604001.tif 000006